(57)【特許請求の範囲】
【請求項１】
ケース本体と、ケース本体内に装着される収納部材と、ケース本体内に押込み可能に装着される蓋開閉操作部材と、ケース本体に廻動可能に装着される蓋体とからなるコンパクト容器において、
ケース本体は、上面が平坦な底壁と、周壁とを具え、
該周壁の前壁部の中央部には、凹部が形成され、
該周壁の後壁部の外方には、中央部が、内方に後壁を残して外方から切欠かれ、両側に、軸受け部が形成され、
後壁の中央部の下端部に、下端から所定の高さまで切欠口部が形成されており、
蓋開閉操作部材は、ケース本体の前壁部側の凹部内に位置し、蓋体を開閉する係止部と、係止部の内方下端から後方に延びる板状に形成され、底壁の上面に載置される作動部と、作動部の後方側に連設され、ケース本体の後壁の切欠口部内を遊貫する押込み部と、ケース本体に対する蓋開閉操作部材の押し込みに対して、蓋開閉操作部材を元の位置に戻す弾性部とを具え、
係止部の内方上端の中央部には、係止突部が突設され、
蓋体は、頂壁と、周壁とを具え、
頂壁下面の前方側には、所定の位置に、蓋開閉操作部材の係止部と係合する係止片が配設され、
該周壁の後壁部には、両側の所定の位置に、中央側が蓋開閉操作部材の押込み部が稼働可能に離れているとともに、ケース本体の両方の軸受け部にそれぞれ係合する軸受けが配設され、
開蓋時に、ケース本体に対して蓋開閉操作部材の押込み部を後方から押し込むことで、蓋体を跳ね上げ、開蓋方向に廻動させるようにしたことを特徴とするコンパクト容器。
【請求項２】
蓋開閉操作部材の弾性部が、係止部の両側から左右に延びる弾性変形可能なばね板部であり、
ばね板部の先端の前方側には、ケース本体の周壁の前壁部の内方面に当接する突部が突設されていることを特徴とする請求項１記載のコンパクト容器。
【請求項３】
ケース本体の後壁の中央部の後方面上端部に、中央部を一定距離離して両側に配設した弾性変形可能な連結部を介して、上面に押上げ突部を突設した押上げ片が連設され、
蓋体の頂壁下面の後方側に、閉蓋時に、下面が押上げ片の押上げ突部と圧接して連結部を変形させる蓋押上げ片が配設されていることを特徴とする請求項１または２記載のコンパクト容器。
【請求項４】
蓋体の前壁の両側の内面下端部に、弾性変形可能な連結部を介して、下面を凸とする押上げ部が連設され、
閉蓋時に、押上げ部の下面が収納部材の上面と圧接して連結部を変形させることを特徴とする請求項１〜３のいずれかに記載のコンパクト容器。
【請求項５】
蓋開閉操作部材の作動部の係止部側の上面に、係止部側から内方側に向かって上方に傾斜する傾斜面が形成された押上げ突部が突設され、
該傾斜面が、開蓋時の蓋開閉操作部材を後方から押し込みの際に、蓋体の係止片に当接し、上方に持ち上げることを特徴とする請求項１〜４のいずれかに記載のコンパクト容器。
【発明の詳細な説明】
【技術分野】
【０００１】
本発明は、化粧料などを収納して携帯するコンパクト容器、とくにコンパクトの蓋係止機構に関するものである。
【背景技術】
【０００２】
化粧料などを収納する容器本体と、容器本体に枢軸で廻動可能に取り付けられた蓋体と、容器本体または蓋体に装着し、押し込んで蓋体の開蓋を行う係止機構とからなるコンパクト容器は、従来より知られている（例えば、特許文献１参照）。
【先行技術文献】
【特許文献】
【０００３】
【特許文献１】実開昭６４−６２５９号
【発明の概要】
【発明が解決しようとする課題】
【０００４】
しかしながら、上記特許文献１記載のコンパクト容器では、蓋係止機構が、容器本体の前方の壁面に装着されており、容器本体に対して係止機構を押し込むために、蓋係止機構自体が、容器本体の壁面の前方から出っ張り、コンパクト容器としての見栄えがよくなかった。
また、コンパクト容器を落とした際に、蓋係止機構を押して、開蓋することがあった。
【０００５】
仮に、容器本体の壁面の前方面より内方または面一に係止機構の前方面を合わせるようにしても、やはり、壁面の前方面に凹部または隙間ができてしまい、コンパクト容器としての見栄えがよくない。
【０００６】
本発明は、上記問題を解決することを課題とし、容器本体または蓋体の前方側に、押し込んで蓋体の開蓋を行う係止機構を設けないことによって、容器本体または蓋体の壁面の前面がスッキリとし、見栄えがよくなるとともに、簡単に開閉蓋することができるコンパクト容器を提供することを目的とする。
【課題を解決するための手段】
【０００７】
本発明は、上記の課題を解決するため、コンパクト容器として、ケース本体と、ケース本体内に装着される収納部材と、ケース本体内に押込み可能に装着される蓋開閉操作部材と、ケース本体に廻動可能に装着される蓋体とからなるコンパクト容器において、ケース本体は、上面が平坦な底壁と、周壁とを具え、該周壁の前壁部の中央部には、凹部が形成され、該周壁の後壁部の外方には、中央部が、内方に後壁を残して外方から切欠かれ、両側に、軸受け部が形成され、後壁の中央部の下端部に、下端から所定の高さまで切欠口部が形成されており、蓋開閉操作部材は、ケース本体の前壁部側の凹部内に位置し、蓋体を開閉する係止部と、係止部の内方下端から後方に延びる板状に形成され、底壁の上面に載置される作動部と、作動部の後方側に連設され、ケース本体の後壁の切欠口部内を遊貫する押込み部と、ケース本体に対する蓋開閉操作部材の押し込みに対して、蓋開閉操作部材を元の位置に戻す弾性部とを具え、係止部の内方上端の中央部には、係止突部が突設され、蓋体は、頂壁と、周壁とを具え、頂壁下面の前方側には、所定の位置に、蓋開閉操作部材の係止部と係合する係止片が配設され、該周壁の後壁部には、両側の所定の位置に、中央側が蓋開閉操作部材の押込み部が稼働可能に離れているとともに、ケース本体の両方の軸受け部にそれぞれ係合する軸受けが配設され、開蓋時に、ケース本体に対して蓋開閉操作部材の押込み部を後方から押し込むことで、蓋体を跳ね上げ、開蓋方向に廻動させるようにしたことを特徴とする構成を採用する。
【０００８】
弾性部の実施例として、蓋開閉操作部材の弾性部が、係止部の両側から左右に延びる弾性変形可能なばね板部であり、ばね板部の先端の前方側には、ケース本体の周壁の前壁部の内方面に当接する突部が突設されていることを特徴とする構成を採用する。
【０００９】
蓋体の押上げのために、ケース本体の後壁の中央部の後方面上端部に、中央部を一定距離離して両側に配設した弾性変形可能な連結部を介して、上面に押上げ突部を突設した押上げ片が連設され、蓋体の頂壁下面の後方側に、閉蓋時に、下面が押上げ片の押上げ突部と圧接して連結部を変形させる蓋押上げ片が配設されていることを特徴とする構成、あるいは、蓋体の前壁の両側の内面下端部に、弾性変形可能な連結部を介して、下面を凸とする押上げ部が連設され、閉蓋時に、押上げ部の下面が収納部材の上面と圧接して連結部を変形させることを特徴とする構成を採用する。
【００１０】
同じく蓋体の押上げのために、蓋開閉操作部材の作動部の係止部側の上面に、係止部側から内方側に向かって上方に傾斜する傾斜面が形成された押上げ突部が突設され、該傾斜面が、開蓋時の蓋開閉操作部材を後方から押し込みの際に、蓋体の係止片に当接し、上方に持ち上げることを特徴とする構成を採用する。
【発明の効果】
【００１１】
本発明のコンパクト容器は、ケース本体と、ケース本体内に装着される収納部材と、ケース本体内に押込み可能に装着される蓋開閉操作部材と、ケース本体に軸廻動可能に装着される蓋体とからなり、蓋開閉操作部材を操作する押込み部がケース本体の周壁の後壁部側にあるので、ケース本体または蓋体の前方側に係止機構による出っ張りなどが無くなってスッキリし、コンパクト容器として、見栄えがよくなった。
また、開蓋時に、ケース本体に対して蓋開閉操作部材の押込み部を後方から押し込むだけで、蓋体を跳ね上げ、開蓋方向に廻動させることができるので、簡単に開蓋することができる。
【００１２】
また、蓋開閉操作部材を操作する押込み部がケース本体の周壁の後壁部側の後端面より内方にあるので、コンパクト容器を落とした際に、押込み部を押してしまうことを防止できるので、落下による開蓋を防止することができる。
【図面の簡単な説明】
【００１３】
【図１】本発明のコンパクト容器の閉蓋時の側面断面図である。
【図２】コンパクト容器の開蓋時の説明図で、（ａ）は上面図、（ｂ）は側面断面図である。
【図３】ケース本体の説明図で、（ａ）は上面図、（ｂ）は側面断面図である。
【図４】収納部材の説明図で、（ａ）は上面図、（ｂ）は側面断面図である。
【図５】蓋開閉操作部材の説明図で、（ａ）は上面図、（ｂ）は側面断面図である。
【図６】蓋体の説明図で、（ａ）は下面図、（ｂ）は側面断面図である。
【図７】コンパクト容器の閉蓋時の要部拡大図である。
【図８】コンパクト容器の開蓋時の要部拡大図である。
【図９】別実施例の蓋体の説明図で、（ａ）は下面図、（ｂ）は側面断面図である。
【図１０】別実施例のコンパクト容器の閉蓋時の説明図で、（ａ）は側面断面図、（ｂ）は要部拡大図である。
【発明を実施するための形態】
【００１４】
次に、本発明のコンパクト容器の実施形態について、図面を参照して説明する。
図１、２において、Ａはケース本体、Ｂはケース本体Ａ内に装着される収納部材、Ｃはケース本体Ａ内に押込み可能に装着される蓋開閉操作部材、Ｄは蓋体である。
【００１５】
ケース本体Ａは、図１〜３に示すように、上面が平坦で略長方形の底壁１と、底壁１の周縁に内側下端が連設される周壁２とからなっている。
周壁２は、前壁部２ａと、両側の側壁部２ｂと、後壁部２ｃとを具えている。
【００１６】
前壁部２ａの内面の中央部には、底壁１の上面から上方に、蓋開閉操作部材Ｃと係合する凹部３が形成されており、また、その付近の前周壁部２ａの内面の上端には、内方に向かって凹部３の上端から連なる突片４が形成されている。
【００１７】
後壁部２ｃの外方には、中央部が、内方に後壁５を残して外方から切欠かれ、両側に、軸受け部６が形成されている。
【００１８】
後壁５には、中央部の下端部に、下端から所定の高さまで切欠口部７が形成されており、中央部の後方面上端部に、中央部をある程度離して両側に配設した弾性変形可能な連結部８を介して押上げ片９が連設されている。
押上げ片９の上面には、押上げ突部１０が突設されている。
【００１９】
両方の軸受け部６には、内方に向かって側方から穿設される軸孔１１が設けられている。
軸受け部６は、両方の側方から軸孔１１に軸１２を挿入し、装着することによって、蓋体Ｄを軸廻動可能に装着するようになっている。
【００２０】
収納部材Ｂは、図１〜２、４に示すように、底壁１５と周壁１６と、底壁１５と周壁１６との内方に、化粧料やパフを収納する皿部などの収納部を区画する区画壁１７とを具えている。
周壁１６の上端外方には、下面がケース本体Ａの周壁２の上面と係合し、収納部材Ｂをケース本体Ａの内方に装着するフランジ１８が突設されている。
【００２１】
フランジ１８の前側部１８ａには、中央部に蓋体Ｄの係止片３２を遊貫する開口１９が開口されているとともに、周壁１６の前側部をケース本体Ａの前壁部２ａから離すように形成されている。
【００２２】
蓋開閉操作部材Ｃは、図１〜２、５に示すように、ケース本体Ａの前壁部２ａ側の凹部３内に位置し、蓋体Ｂを開閉する係止部２０と、係止部２０の両側の下部内方側から左右に延びるばね板部２１と、係止部２０の内方下端から後方に延びる板状に形成され、底壁１の上面に載置される作動部２２と、作動部２２の後方側に連設され、後壁５の切欠口部７の幅に形成される押込み部２３とからなっている。
【００２３】
係止部２０の内方上端の中央部には、係止突部２４が突設されており、係止突部２４には、係止部２０の壁面上端から内方側に向かって下方に傾斜する傾斜面２４ａと、水平な下面２４ｂが形成されている。
【００２４】
両方のばね板部２１は、弾性変形可能に形成され、先端の前方側には、ケース本体Ａの前壁部２ａ内方面に当接する突部２５が突設されている。
【００２５】
作動部２２の係止部２０側の上面には、所定の位置に、係止部２０側から内方側に向かって上方に傾斜する傾斜面２６ａが形成された押上げ突部２６が突設されている。
【００２６】
押込み部２３は、内方面上端の中央部に作動部２２の後方側端が連設する連設壁２７と、連設壁２７の後方側下端部に連設される底壁２８と、底壁２８の後方側に立設される押し壁２９とからなっている。
連設壁２７の内方面は、押込み部２３を押し進めた際に、ケース本体Ａの切欠口部７を通して、底壁１の後方面に当接し、押込み部２３の押し進めが止められるようになっている。
【００２７】
蓋体Ｄは、図１〜２、６に示すように、略長方形の頂壁３０と、頂壁３０の周縁に内側上端が連設される周壁３１とを具えている。
周壁３１は、前壁部３１ａと、両側の側壁部３１ｂと、後壁部３１ｃとを具えている。
【００２８】
頂壁３０下面の前壁部３１ａ側には、所定の位置に、収納部材Ｂの開口１９に遊貫するとともに、蓋開閉操作部材Ｃの係止部２０と係合する係止片３２が配設されている。
係止片３２の壁面には、閉蓋時に、係止部２０の係止突部２４が係合する係止孔３３が穿設されている。
【００２９】
頂壁３０下面の後壁部３１ｃ側には、後壁部３１ｃ内方面まで延び、閉蓋時に、下面がケース本体Ａの押上げ片９の押上げ突部１０と圧接する蓋押上げ片３４が、中央に複数配設されている。
頂壁３０下面の内方には、鏡ｍが装着される鏡枠３５が配設されている。
【００３０】
後壁部３１ｃには、両側の所定の位置に、中央側が蓋開閉操作部材Ｃの押込み部２３が稼働可能に離れているとともに、ケース本体Ａの両方の軸受け部６にそれぞれ係合し、軸１２に枢支される軸受け３６が配設されている。
【００３１】
次に、本実施形態のコンパクト容器の使用態様と作用効果について説明する。
コンパクト容器の組立方法は、まず、ケース本体Ａの内方に蓋開閉操作部材Ｃを載置する。
その際、ケース本体Ａの後壁５の切欠口部７に、内方から、蓋開閉操作部材Ｃの押込み部２３の押し壁２９の先端を挿入し、押込み部２３の部分を順次貫通させていく。
【００３２】
押込み部２３を後壁５の外方に出した後、ケース本体Ａの底壁１の上面に蓋開閉操作部材Ｃの作動部２２を載置させるとともに、蓋開閉操作部材Ｃの両方のばね板部２１の突部２５先端を前壁部２ａのそれぞれの内面に当接させて、蓋開閉操作部材Ｃの係止部２０の前方側をケース本体Ａの前壁部２ａの凹部３内に載置させることで、蓋開閉操作部材Ｃは、ケース本体Ａの内方に載置される。
【００３３】
次に、ケース本体Ａのそれぞれの周壁２の上面に、収納部材Ｂのそれぞれのフランジ１８の下面を係合させ、ケース本体Ａに収納部材Ｂを装着する。
その際、収納部材Ｂの周壁１６の前側壁の下端外方面に、蓋開閉操作部材Ｃの作動部２２の押上げ突部２６の内方面が当接し、蓋開閉操作部材Ｃがケース内でそれ以上後方向に稼働しないようにされている。
【００３４】
最後に、蓋体Ｄのそれぞれの軸受け３６を、ケース本体Ａの軸受け部６と蓋開閉操作部材Ｃの押込み部２３とのそれぞれの間に挿入し、それぞれの軸１２を嵌入させ、軸１２を支点に廻動可能に蓋体Ｄをケース本体Ａに装着する。
【００３５】
本実施形態のコンパクト容器は、蓋開閉操作部材Ｃが、ばね板部２１とケース本体Ａの前壁部２ａとの係合と、作動部２２の押上げ突部２６の内方面と収納部材Ｂの周壁１６の前側壁の下端外方面との係合により、コンパクト容器内で固定されるので、容器を携帯する際に、蓋開閉操作部材Ｃが揺れ、音が出ることを防止することができる。
【００３６】
本実施形態のコンパクト容器の蓋体Ｄを軸１２を支点に閉蓋方向に廻動して閉蓋する際の作用について説明する。
蓋体Ｄの廻動により、蓋体Ｄの係止片３２が、収納部材Ｂの開口１９内に遊貫し、図７に示すように、先端が蓋開閉操作部材Ｃの係止部２０の係止突部２４の傾斜面２４ａに当接する。
【００３７】
さらに、蓋体Ｄの廻動を進めると、係止片３２の押下げ力に対して、傾斜面２４ａの傾斜により、蓋開閉操作部材Ｃが前方に押されていく。
その際、蓋開閉操作部材Ｃの係止部２０の前方側が、ケース本体Ａの前壁部２ａの凹部３内を前方に進むとともに、前壁部２ａと当接する蓋開閉操作部材Ｃのばね板部２１が変形する。
【００３８】
蓋体Ｄの廻動が進み、係止突部２４の傾斜面２４ａと係止片３２の先端との係合が終わると、前壁部２ａと当接するばね板部２１の弾性により、蓋開閉操作部材Ｃを押し戻そうとし、係止突部２４の内方面が係止片３２の外方に摺動しながら廻動が進む。
【００３９】
また、蓋体Ｄの廻動が進むと、蓋体Ｄの後方側に配設した蓋押上げ片３４の下面が、ケース本体Ａの後壁５に設けた押上げ片９の押上げ突部１０に当接し、押上げ片９自体を押下げ、連結部８を変形させていく。
【００４０】
最後は、蓋体Ｄの係止片３２の係止孔３３内に、ばね板部２１の弾性により押し戻された蓋開閉操作部材Ｃの係止突部２４が挿入されるとともに、蓋体Ｄの周壁３１とケース本体Ａの周壁２とが当接し、図１に示すように、蓋体Ｄがケース本体Ａに対して隙間なく閉蓋される。
【００４１】
閉蓋した際には、ケース本体Ａの後壁５の連結部８の復元力により押上げ片９を元の位置に戻そうとし、蓋体Ｄを押し上げようとする力があるが、蓋体Ｄの係止片３２の係止孔３３の上面に、蓋開閉操作部材Ｃの係止部２０の係止突部２４の下面２４ｂが引っ掛かり、開蓋が阻止されている。
【００４２】
次に、蓋体Ｄを開蓋する際の作用について説明する。
まず、蓋開閉操作部材Ｃの押込み部２３の押し壁２９を後側から押し、蓋開閉操作部材Ｃをケース本体Ａに対して押し込んでいく。
【００４３】
蓋開閉操作部材Ｃの押し込みが進むと、係止部２０が、ケース本体Ａの前壁部２ａの凹部３内を前方に進むとともに、ケース本体Ａの前壁部２ａと当接する蓋開閉操作部材Ｃのばね板部２１が変形していく。
【００４４】
係止部２０が前方に進むと、係止突部２４の下面２４ｂと蓋体Ｄの係止片３２の係止孔３３の上面との係合が外される。
【００４５】
また、蓋開閉操作部材Ｃが前方に進むと、図８に示すように、蓋開閉操作部材Ｃの作動部２２の押上げ突部２６の傾斜面２６ａが係止片３２の下端が当接し、さらに進むと、作動部２２の押し力に対して、傾斜面２６ａの傾斜により、係止片３２が上方に持ち上げられていく。
【００４６】
係止片３２と係止突部２４との係合が外れ、係止片３２が上方に持ち上げられるとともに、閉蓋時に変形したケース本体Ａの後壁５の連結部８の復元力により、蓋体Ｄは、ケース本体Ａに対して軸１２を支点に開蓋方向に跳ね上げ、廻動させられるので、簡単に開蓋することができる。
【００４７】
開蓋終了後には、蓋開閉操作部材Ｃの係止部２０の前方面が、ケース本体Ａの前壁部２ａの凹部３の内方面に当接するとともに、蓋開閉操作部材Ｃの押込み部２３の連設壁２７の内方面が、底壁１の後方面に当接し、蓋開閉操作部材Ｃの前方への押し込みが止められる。
【００４８】
蓋開閉操作部材Ｃの押し込みを外すと、ばね板部２１の弾性により、蓋開閉操作部材Ｃが元の位置に押し戻される。
【００４９】
本発明のコンパクト容器は、蓋係止機構となる蓋開閉操作部材Ｃがケース本体Ａの内方または後方側にあることにより、ケース本体Ａと蓋体Ｄの周壁の前方側に蓋係止機構が無くなり、前方側および側方側の周壁がスッキリとし、コンパクト容器としての見栄えがよくなった。
【００５０】
蓋開閉操作部材Ｃの押込み部２３がケース本体Ａの周壁の後端より内方にあるため、コンパクト容器を落とした際に、操作部を押して開蓋してしまうことを防止することができる。
【００５１】
また、開蓋時に、蓋開閉操作部材Ｃを押し込むことによる蓋体Ｄの係止片３２を持ち上げる力の他に、閉蓋時に変形したケース本体Ａの後壁５の連結部８の復元力による開蓋方向に跳ね上げる力が付加されるので、確実に蓋体Ｄを跳ね上げ、開蓋することができる。
【００５２】
上記実施形態では、蓋開閉操作部材Ｃの作動部２２の上面に、押上げ突部２６を設けたが、開蓋時に、蓋体Ｄを跳ね上げるだけであれば、ケース本体Ａの後壁５と押上げ片９の連結部８の復元力による開蓋方向に跳ね上げる力だけでもよいので、作動部２２の上面には、何も設けなくてもよい。
また、逆に、開蓋時に、蓋体Ｄを押し上げるだけであれば、蓋開閉操作部材Ｃの作動部２２の上面に、押上げ突部２６を設け、ケース本体Ａの後壁５の後方面上端部に何も設けなくてもよい。
【００５３】
上記実施形態では、蓋開閉操作部材Ｃの係止部２０の両側に左右に延びるばね板部２１を設けたが、蓋開閉操作部材Ｃを前方に押した際に、後方に押し返すようにすればよいので、例えば、ケース本体Ａの前周壁２ａの凹部３内にバネ機構を設けたり、係止部２０の前方面にバネ機構を設けて押し返すようにしてもよく、蓋開閉操作部材Ｃを後方に押し返すバネ機構は、上記実施形態の形態に限定されない。
【００５４】
上記実施形態では、ケース本体Ａの後壁５に連結部８を介して押上げ片９を設けるとともに、蓋体Ｄの後方側に蓋押上げ片３４を設け、閉蓋時に押上げ片９と蓋押上げ片３４が当接して連結部８が変形させることによる弾性により、開蓋時に、蓋体Ｄを跳ね上げるようにしているが、跳ね上げ機構の別実施例について説明する。
別実施例の上記実施形態と同一の構成部分には、同一の符号を付して図示し、詳しい説明を省略し、相違点を中心に説明する。  
【００５５】
別実施例のコンパクト容器は、図９、１０に示すように、蓋体Ｄの周壁３１の前壁部３１ａと両側の側壁部３１ｂとの両角部に、それぞれの壁部の内面下端部に連設される弾性変形可能な連結部４０を介して、下面を凸とする押上げ部４１が連設されている。
【００５６】
別実施例のコンパクト容器の跳ね上げ機構の作用効果について説明する。
別実施例のコンパクト容器の蓋体Ｄを軸１２を支点に閉蓋方向に廻動して閉蓋する際には、蓋体Ｄの廻動が進むと、図１０に示すように、蓋体Ｄの前方側の周壁３１の両角部に配設した押上げ部４１の下面が、ケース本体Ａに装着した収納部材Ｂのフランジ１８の前側部１８ａの両角部上面に当接し、押上げ部４１自体を押上げ、連結部４０を変形させていく。
【００５７】
閉蓋した際には、蓋体Ｄの連結部４０の復元力により押上げ部４１を元の位置に戻そうとし、蓋体Ｄを押し上げようとする力があるが、蓋体Ｄの係止片３２と蓋開閉操作部材Ｃの係止部２０の係合により、開蓋が阻止されている。
【００５８】
次に、蓋体Ｄを開蓋する際には、蓋開閉操作部材Ｃの押込み部２３の押し壁２９を後側から押し、係止部２０と蓋体Ｄの係止片３２の係合が外されると、閉蓋時に変形した蓋体Ｄの連結部４０の復元力により、押上げ部４１が蓋体Ｄ内で元の位置に戻る。
【００５９】
押上げ部４１が元の位置に戻ると、押上げ部４１の下面が、収納部材Ｂのフランジ１８の前側部１８ａの両角部上面を押すことにより、蓋体Ｄがケース本体Ａに対して軸１２を支点に開蓋方向に跳ね上げられ、廻動するので、簡単に開蓋することができる。
その他の使用態様および作用効果は、前記実施形態と同様である。
【００６０】
上記別実施例では、蓋体Ｄの周壁３１の前壁部３１ａと両側の側壁部３１ｂとの両角部に、押込み部４１を、弾性変形可能な連結部４０を介してそれぞれの壁部の内面下端部に連設したが、収納部材Ｂのフランジ１８に当接し、連設部４０を弾性変形させ、開蓋時に蓋体Ｄを跳ね上げるようにできればよいので、蓋体Ｄの周壁３１の前壁部３１ａの中央部から離れた両側の位置に弾性変形可能な連結部４０を介して押込み部４１を連設するようにしてもよい。
また、上記別実施例の跳ね上げ機構の構成と、前期実施形態の跳ね上げ機構の構成を合わせることで、より確実に蓋体Ｄを跳ね上げ、廻動するようにしてもよい。
【産業上の利用可能性】
【００６１】
本発明のコンパクト容器は、開蓋する係止機構となる蓋開閉操作部材の押込み部がケース本体の後方側にあることにより、ケース本体と蓋体の周壁の前方側および側方側の周壁がスッキリとし、コンパクト容器としての見栄えがよくなったので、種々のコンパクトに広く利用できるようになった。
【符号の説明】
【００６２】
Ａ        ケース本体
Ｂ        収納部材
Ｃ        蓋開閉操作部材
Ｄ        蓋体    
ｍ        鏡
１、１５、２８    底壁     
２、１６、３１    周壁
２ａ、３１ａ    前壁部
２ｂ、３１ｂ    側壁部
２ｃ、３１ｃ    後壁部
３        凹部
４        突片
５        後壁
６        軸受け部
７        切欠口部
８、４０    連結部
９        押上げ片
１０      押上げ突部
１１      軸孔
１２      軸
１７      区画壁
１８      フランジ
１８ａ    前側部
１９      開口
２０      係止部
２１      ばね板部
２２      作動部
２３      押込み部
２４      係止突部
２４ａ、２６ａ    傾斜面
２４ｂ    下面
２５      突部
２６      押上げ突部
２７      連設壁
２９      押し壁
３０      頂壁
３２      係止片
３３      係止孔
３４      蓋押上げ片
３５      鏡枠
３６      軸受け
４１      押上げ部
【図１】
0005595885.tif 000002
【図２】
0005595885.tif 000003
【図３】
0005595885.tif 000004
【図４】
0005595885.tif 000005
【図５】
0005595885.tif 000006
【図６】
0005595885.tif 000007
【図７】
0005595885.tif 000008
【図８】
0005595885.tif 000009
【図９】
0005595885.tif 000010
【図１０】
0005595885.tif 000011